(57)【要約】【課題】薬剤を吊り下げても安定させて、家庭内で浣腸を行うことができ、患者にとって適正な薬剤位置となる薬剤支持スタンドを提供することにある。【解決手段】基台１と、該基台１上に垂直に取り付けられ薬剤バッグをフック３によって吊り下げて支持する支柱２とを備えた薬剤支持スタンド１０であって、支柱２には、所定の高さ位置から上方にかけて凹字状に折り曲げてなる折り曲げ部２ｂが形成され、フック３は、折り曲げ部２ｂの上端部２ｂ’に設けられ且つ支柱２の略軸線Ｘ上に位置するように設けられており、所定の高さ位置は基台１の下端から４５ｃｍ以上５５ｃｍ以下の位置であり、フック３の高さ位置は、基台１の下端から７０ｃｍ以上９０ｃｍ以下の位置であることを特徴とする。【選択図】図１
0003117380.tif 000002
【実用新案登録請求の範囲】
【請求項１】
基台と、該基台上に垂直に取り付けられ薬剤バッグまたは薬剤ビンをフックによって吊り下げて支持する支柱と、を備えた薬剤支持スタンドであって、
前記支柱には、所定の高さ位置から上方にかけて凹字状または弓状に折り曲げてなる折り曲げ部が形成され、前記フックは、前記折り曲げ部の上端部に設けられ且つ前記支柱の略軸線上に位置するように設けられており、
前記所定の高さ位置は、前記基台の下端から４５ｃｍ以上５５ｃｍ以下の位置であり、前記フックの高さ位置は、前記基台の下端から７０ｃｍ以上９０ｃｍ以下の位置であることを特徴とする薬剤支持スタンド。
【請求項２】
前記支柱は、前記基台に設けられた支持筒に抜き差し可能に取り付けられている請求項１記載の薬剤支持スタンド。
【考案の詳細な説明】
【技術分野】
【０００１】
本考案は、家庭内でも浣腸を行うことができる薬剤支持スタンドに関する。
【背景技術】
【０００２】
従来、点滴や輸血用のスタンドとして、脚部と、脚部上に垂直に取り付けられて、点滴バッグまたは点滴ビン等をフックによって吊り下げて支持する支柱とを備えているものが知られている。また、脚部の下部に複数の車輪が取り付けられていて、患者とともに移動可能となっている移動式のものも知られている（例えば、特許文献１，２参照。）。
【０００３】
【特許文献１】特開２００１−１２９０５７号公報
【特許文献２】特開２００３−３１０７１２号公報
【考案の開示】
【考案が解決しようとする課題】
【０００４】
一方、最近になって家庭内おいて浣腸を行う患者が増えている。浣腸を行うと、体内の老廃物を対外へと追い出すことができるため、所謂、解毒作用により健康体を維持できると考えられている。このため、患者のみならず健常者（以後、患者と称す）においても自身の健康管理のために定期的に浣腸を行うことがある。しかし、浣腸を行う場合、浣腸用の薬剤を壁に釘やビス等で引っ掛けるように吊り下げて使用したり、適当な高さ位置に置いて使用したりしており、このように使用すると、薬剤は不安定な状態となったり、浣腸を行う適切な高さ位置にならない等の問題が起こり、適正に薬剤を体内に注入できない等の問題が生じる。
【０００５】
また、特許文献１，２に記載のスタンドを家庭内での浣腸を目的として使用しても、薬剤の高さ位置が適正高さよりも高い位置となって使用することができない。また、これらのスタンドは、薬剤をフックに吊り下げて使用するものであるが、吊り下げ位置が支柱の軸線から離れた位置であるため、吊り下げ後のスタンドの重心が吊り下げ位置側へと移動して倒れやすくなるという問題がある。また、このような転倒を防止するためには、脚部基台を大きくする必要があり、浣腸を使用する際に邪魔になって使用しにくくなる。
【０００６】
本考案が解決しようとする課題は、薬剤を吊り下げても安定させて、家庭内で浣腸を行うことができ、患者にとって適正な薬剤位置となる薬剤支持スタンドを提供することにある。
【課題を解決するための手段】
【０００７】
本考案の薬剤支持スタンドは、基台と、該基台上に垂直に取り付けられ薬剤バッグまたは薬剤ビンをフックによって吊り下げて支持する支柱と、を備えた薬剤支持スタンドであって、支柱には、この支柱の所定の高さ位置から上方にかけて凹字状または弓状に折り曲げてなる折り曲げ部が形成され、フックは、折り曲げ部の上端部に設けられ且つ支柱の略軸線上に位置するように設けられており、所定の高さ位置は、基台の下端から４５ｃｍ以上５５ｃｍ以下の位置であり、フックの高さ位置は、基台の下端から７０ｃｍ以上９０ｃｍ以下の位置であることを特徴とする。
【０００８】
支柱に折り曲げ部を形成して、フックを折り曲げ部の上端部且つ支柱の略軸線上に位置するように設けたことにより、薬剤バッグまたは薬剤ビンをフックに吊り下げたときに、これらが、支柱の略軸線上に位置することとなる。これにより、薬剤支持スタンドを安定させて使用することができ、薬剤支持スタンドの転倒を防止することができる。また、薬剤支持スタンドが安定するため、基台を小さく形成することができ、横たわって浣腸を行う患者等に邪魔になることなく浣腸を行うことができる。
【０００９】
また、所定の高さ位置は、前記基台の下端から４５ｃｍ以上５５ｃｍ以下の位置が望ましく、約５０ｃｍの位置がより望ましい。また、フックの高さ位置は、前記基台の下端から７０ｃｍ以上９０ｃｍ以下の位置とすることが望ましく、約８０ｃｍとすることが望ましい。以上のような高さ位置とすることにより、薬剤バッグまたは薬剤ビンの長さが約３０ｃｍである場合、これらをフックに吊り下げると、これらの下端の高さ位置が、基台の下端（薬剤支持スタンドの設置位置）から約５０ｃｍとなる。これにより、浣腸を行うために横たわっている患者にとって適正な薬剤バッグまたは薬剤ビンの位置とすることができる。
【００１０】
ここで、前記所定の高さ位置を４５ｃｍ未満とすると薬剤を注入する圧力が小さくなり薬剤を適正に体内に注入することができない。この位置が５５ｃｍを越えると、薬剤を注入する圧力が大きくなり、薬剤を適正に体内に注入することができない。
また、フックの高さ位置を、基台の下端から７０ｃｍ未満とすると、薬剤を注入する圧力が小さくなり薬剤を適正に体内に注入することができない。この位置が９０ｃｍを越えると、横たわっている患者にとって使用しづらいものとなる。
【００１１】
さらに、支柱を、基台に設けられた支持筒に抜き差し可能に取り付ければ、支柱と基台とに分離して持ち運びに便利な薬剤支持スタンドとすることができる。
【考案の効果】
【００１２】
本考案の最大の特徴は、支柱に折り曲げ部を形成し、フックを折り曲げ部の上端部に設け且つ支柱の略軸線上に位置するように設けた点にある。このような構成としたことにより、薬剤を吊り下げても安定させることができ、家庭内でも安心して浣腸を行うことができる。
【考案を実施するための最良の形態】
【００１３】
以下、図面に基づいて本考案の実施の形態について説明する。図１は本考案の実施の形態である薬剤支持スタンドを示す正面図、図２は図１の薬剤支持スタンドに薬剤バッグを吊り下げたことを示す図である。
【００１４】
図１，図２に示すように、本実施形態の薬剤支持スタンド１０は、鉄板で円盤状に形成された基台１と、この基台１上に設けられた支持筒２ａに垂直に抜き差し可能に取り付けられた支柱２とを備えている。支柱２は、薬剤バッグ５をフック３によって吊り下げるものである。支柱２には、所定の高さ位置から上方にかけて凹字状に折り曲げてなる折り曲げ部２ｂが形成され、フック３は、折り曲げ部２ｂの上端部２ｂ’に設けられるとともに支柱２の略軸線Ｘ上に位置するように設けられている。折り曲げ部２ｂは、薬剤バッグ５をフック３に吊り下げても薬剤バッグ５に接触しない程度の空間部４を有するように凹字状に折り曲げられている。
【００１５】
所定の高さ位置とは、基台１の下端から図１に示すＡの長さにある位置であり、基台１の下端から４５ｃｍ以上５５ｃｍ以下の位置が望ましく、本実施形態では５０ｃｍとしている。また、フック３の高さ位置、すなわち、フック３の下端の高さ位置は、基台１の下端から図１に示す長さＢにある位置であり、基台１の下端から７０ｃｍ以上９０ｃｍ以下の位置が望ましく、本実施形態では８０ｃｍとしている。
【００１６】
以上のように薬剤支持スタンド１０を形成したことにより、図２に示すように、薬剤バッグ５をフック３に吊り下げたときに、薬剤バッグ５とフック３は支柱２の略軸線Ｘ上に位置させることができる。これにより、薬剤支持スタンド１０全体の重心がこの軸線Ｘから大きくずれることがないため、患者は薬剤支持スタンド１０を安定させて使用することができ、これの転倒を防止することができる。また、薬剤支持スタンド１０が安定するため、基台１の径を小さくして形成することができ、横たわって浣腸を行う患者に邪魔になることがない。さらに患者にとって適正な薬剤バッグ５の位置とすることができ、薬剤バッグ５中の端部に設けられた薬剤抽出口５ａから薬剤を適正に抽出させて、患者の体内に薬剤を注入することができる。
【００１７】
また、本実施形態においては、薬剤バッグ５を使用しているが、これに限定されるものではなく、薬剤ビン等にも適用できる。また、折り曲げ部２ｂの形状を凹字状としているが、弓状としても良く、薬剤バッグ５が接触しないような形状であれば他の形状としても良い。さらに、基台１は鉄板で形成しているが、材質はこれに限定されるものではなく、ある程度重量があり転倒を防止できるものであれば、他の材質のものを使用することができる。またこの基台１の直径を１５ｃｍ、厚みを４ｍｍとすれば、転倒をほぼ防止できるが、基台１の大きさはこれに限定されるものではなく、適宜変更しても良い。
【００１８】
また、支柱２をさらに分割できるように形成しても良く、例えば、折り曲げ部２ｂを別別途組み立て可能とすれば、持ち運びに便利である。
【産業上の利用可能性】
【００１９】
本考案の薬剤支持スタンドは、家庭内での浣腸用のスタンドとして広く利用することができる。
【図面の簡単な説明】
【００２０】
【図１】本考案の実施の形態である薬剤支持スタンドを示す正面図である。
【図２】図１の薬剤支持スタンドに薬剤バッグを吊り下げたことを示す図である。
【符号の説明】
【００２１】
１０  薬剤支持スタンド
１  基台
２  支柱
２ａ  支持筒
２ｂ  折り曲げ部
２ｂ’  上端部
３  フック
４  空間部
５  薬剤バッグ
５ａ  薬剤抽出口
Ａ，Ｂ  長さ
Ｘ  軸線
【図１】
0003117380.tif 000003
【図２】
0003117380.tif 000004